(57)【要約】【課題】携帯端末に装着して、内蔵スピーカーの音響を改善する携帯端末用音響装置を提供する。【解決手段】携帯端末１の背面に内蔵された背面内蔵スピーカー２の、背面用スピーカー開口部３または、携帯端末１の側面に内蔵された側面内蔵スピーカー４の、側面用スピーカー開口部５を覆うように装着し、内蔵スピーカーから発せられた音が内部の空洞を通って、正面から出るため音の拡散を防止でき、携帯端末１の音響を改善することができる。【選択図】図２
0003171151.tif 000002
【実用新案登録請求の範囲】
【請求項１】
携帯端末の背面用スピーカー開口部または、側面用スピーカー開口部を覆うように装着し、携帯端末との間にできた空洞により、内蔵スピーカーの音を出口方向に誘導し、音の出口を携帯端末の正面に向けたことを特徴とする携帯端末用音響装置。
【請求項２】
背面用スピーカー開口部がある携帯端末に装着し、内部の空洞が、仕切板で仕切られていることを特徴とする、請求項1に記載の携帯端末用音響装置。
【請求項３】
側面用スピーカー開口部がある携帯端末に装着し、内部の空洞が、仕切板で仕切られていることを特徴とする、請求項1に記載の携帯端末用音響装置。
【考案の詳細な説明】
【技術分野】
【０００１】
本考案は、携帯端末の音響を改善する、携帯端末用音響装置に関するものである。
【背景技術】
【０００２】
内蔵スピーカーの開口部が、背面または側面にある携帯端末は、音が拡散して正面に向かう量が少なく、音質や音量の低下を招き、聞き取りにくい。
【０００３】
特許文献１に開示されているような、携帯パソコンのバスレフポートの音を取り入れて、音質を改善する携帯パソコン用拡張音響箱が提案されている。
【先行技術文献】
【特許文献】
【０００４】
【特許文献１】特開２０００−５０３７７号公報
【考案の概要】
【考案が解決しようとする課題】
【０００５】
特許文献１の提案で改善される音域は低音域であり、中高音域の音は、正面方向を向いているスピーカーの音を直接聞いている。
【０００６】
本考案は、内蔵スピーカーの開口部が、背面または側面にある携帯端末から発生する音の拡散を防ぎ、音質や音量の低下を安価に改善する、携帯端末用音響装置を提供することを目的とする。
【課題を解決するための手段】
【０００７】
上記課題を達成するために請求項１の考案では、携帯端末の背面用スピーカー開口部または、側面用スピーカー開口部を覆うように装着し、携帯端末との間にできた空洞により、内蔵スピーカーが発した音を出口方向に誘導し、音の出口を正面に向けたことを特徴とする。
【０００８】
請求項２の考案では、背面用スピーカー開口部がある携帯端末に装着し、内部の空洞が、仕切板で仕切られていることを特徴とする。
【０００９】
請求項３の考案では、側面用スピーカー開口部がある携帯端末に装着し、内部の空洞が、仕切板で仕切られていることを特徴とする。
【考案の効果】
【００１０】
請求項１の考案によれば、内蔵スピーカーの音は、携帯端末用音響装置と携帯端末との間にできた空洞を通って、拡散せず携帯端末の正面から出るため、音量の低下を防ぐことができ、指向性の強い高音域の音も出て音質の改善にもなる。
【００１１】
請求項２の考案では、内部の空洞を仕切板で段違いに仕切ることにより、バックロードホーンを形成し、低音域の増強をしている。
【００１２】
請求項３の考案では、内部の空洞を仕切板で長手方向に仕切ることにより、バスレフ型を形成し、低音域の増強をしている。
【考案を実施するための最良の形態】
【００１３】
（実施形態１）
図１は本考案の実施形態１にかかる携帯端末用音響装置の斜視図である。図１に示されるように、形状が内側に湾曲しているため携帯端末１に装着した場合には、携帯端末１と携帯端末用音響装置との間に空洞を形成し、内蔵スピーカーの音がその空洞を通って、携帯端末１の正面に向いた出口から出るようになっている。
【００１４】
図２は本考案の実施形態１を携帯端末１に装着した側面図である。携帯端末１に内蔵された背面内蔵スピーカー２の背面用スピーカー開口部３または、側面内蔵スピーカー４の側面用スピーカー開口部５を覆うように装着し、背面内蔵スピーカー２または、側面内蔵スピーカー４の音が携帯端末１との間にできた空洞を通って、正面に出るようになっているため、音の拡散を防止し、音量や高音域の音質の低下を改善できる。
【００１５】
（実施形態２）
図３は本考案の実施形態２にかかる携帯端末用音響装置の斜視図である。内部の空洞を複数枚（例えば5枚）の仕切板７により仕切ることでバックロードホーンを形成し、スピーカーの音取り入れ口６から入った音は、低音域が増強されて音の出口８から出る。
【００１６】
図４は本考案の実施形態２を示す断面図である。スピーカーの音取り入れ口６から入った音は、仕切板７により空洞内を段違いに仕切られた間を通り、音の出口８から出るが、仕切板７によりバックロードホーンを形成しているため、低音域の増強をしている。
【００１７】
（実施形態３）
図５は本考案の実施形態３にかかる携帯端末用音響装置の斜視図である。内部の空洞を仕切板１０にて長手方向に仕切ることで、バスレフ型を形成し、低音域を増強して音の出口８から音を出している。
【００１８】
図６は本考案の実施形態３を示す断面図である。スピーカーの音取り入れ口９から入った音は、空洞内を長手方向に仕切った仕切板１０の間を通り、音の出口１１から音が出るが、仕切板１０によりバスレフ型を形成しているため、低音域の増強をしている。
【図面の簡単な説明】
【００１９】
【図１】本考案の実施形態１を示す斜視図である。
【図２】本考案の実施形態１を携帯端末に装着した側面図である。
【図３】本考案の実施形態２を示す斜視図である。
【図４】図3におけるＸ−Ｘ矢視断面図である。
【図５】本考案の実施形態３を示す斜視図である。
【図６】図5におけるＹ―Ｙ矢視断面図である。
【符号の説明】
【００２０】
１  携帯端末
２  背面内蔵スピーカー
３  背面用スピーカー開口部
４  側面内蔵スピーカー
５  側面用スピーカー開口部
６  スピーカーの音取り入れ口
７  仕切板
８  音の出口
９  スピーカーの音取り入れ口
１０  仕切板
１１  音の出口
【図１】
0003171151.tif 000003
【図２】
0003171151.tif 000004
【図３】
0003171151.tif 000005
【図４】
0003171151.tif 000006
【図５】
0003171151.tif 000007
【図６】
0003171151.tif 000008
【手続補正書】
【提出日】平成23年8月17日(2011.8.17)
【手続補正１】
【補正対象書類名】実用新案登録請求の範囲
【補正対象項目名】全文
【補正方法】変更
【補正の内容】
【実用新案登録請求の範囲】
【請求項１】
携帯端末の背面の一部から、前記携帯端末の側面の一部にかけて覆うカバー体を備え、このカバー体は、前記携帯端末の背面用スピーカー開口部または、側面用スピーカー開口部に対抗する部位はスピーカーの音取り入れ口であり、前記カバー体の前記携帯端末の正面側に開口する部位は音の出口であり、この音の出口と前記スピーカーの音取り入れ口は、空洞により連通していることを特徴とする携帯端末用音響装置。
【請求項２】
背面用スピーカー開口部がある携帯端末に装着し、内部の空洞が、仕切板で仕切られていることを特徴とする、請求項1に記載の携帯端末用音響装置。
【請求項３】
側面用スピーカー開口部がある携帯端末に装着し、内部の空洞が、仕切板で仕切られていることを特徴とする、請求項1に記載の携帯端末用音響装置。